(57)【要約】      （修正有）【課題】魚卵用ふ化装置において、水槽内で特定の鑑賞魚を隔離しつつ遊泳させ、水槽内の水の入れ換えや掃除など水槽の手入れ作業が簡便に行える魚卵用ふ化装置を提供する。【解決手段】上下方向に延びる筒状の装置本体１と、装置本体の内部に上下関係に所定の間隔を開けて配置され、間に魚卵及び／または稚魚の収容空間１１を形成する一対の網部材８、９と、装置本体の上端部に配設され、装置本体内部の水を排出する流体排出機構２とを備え、前記流体排出機構は、装置本体の上端外側に取り付けられ、流体を外部に排出する排出管１２と、前記排出管に接続されて装置本体の上端内側へ延びるスリーブ管１３と、エア供給ユニットに接続され、前記スリーブ管の内部へ延びて当該スリーブ管の中へ空気を導くエア流入管１５とから構成される。【選択図】図１
0003158034.tif 000002
【実用新案登録請求の範囲】
【請求項１】
上下方向に延びる筒状の装置本体と、
装置本体の内部に上下関係に所定の間隔を開けて配置され、間に魚卵及び／または稚魚の収容空間を形成する一対の網部材と、
装置本体の上端部に配設され、装置本体内部の水を排出する流体排出機構とを備え、
前記流体排出機構は、
装置本体の上端外側に取り付けられ、流体を外部に排出する排出管と、
前記排出管に接続されて装置本体の上端内側へ延びるスリーブ管と、
エア供給ユニットに接続され、前記スリーブ管の内部へ延びて当該スリーブ管の中へ空気を導くエア流入管と
から成ることを特徴とする魚卵用ふ化装置。
【請求項２】
装置本体は上下方向に着脱自在に接続された複数のパイプから構成され、装置本体の長さを可変とするとともに複数個所に魚卵及び／または稚魚の収容空間を形成可能であることを特徴とする請求項１に記載の魚卵用ふ化装置。
【請求項３】
前記網部材はゴミをろ過し得る網目を備えていることを特徴とする請求項１または２に記載の魚卵用ふ化装置。
【請求項４】
前記収容空間に、魚卵或いは稚魚の代わりにろ過剤を充填し、水槽の水の浄化作用を行えるようにしたことを特徴とする請求項１に記載の魚卵用ふ化装置。
【考案の詳細な説明】
【技術分野】
【０００１】
本考案は、魚卵用ふ化装置、特に魚卵を保護しつつ確実にふ化、成長させることが可能な魚卵用ふ化装置に関する。
【背景技術】
【０００２】
鑑賞魚の飼育では、魚の産卵期に稚魚を成育させるために、図５に示すように、水槽２内に魚卵用ふ化装置（隔離器）３を設置して、親魚をこの魚卵用ふ化装置３の親魚の飼育室３Ａに隔離し、親魚が稚魚（卵胎生魚）若しくは卵を産み落としたときに、この稚魚や卵を稚魚の飼育室３Ｂに誘導し、この飼育室３Ｂ内で飼育して、親魚に捕食されないように保護することが行われている。
【０００３】
この種の魚卵用ふ化装置が特許文献１に記載されている。この文献１の魚卵用ふ化装置は、図６に示すように、親魚と稚魚又は卵を収容する箱体３１と、この箱体３１内部を親魚と稚魚又は卵の２個の飼育室３Ａ、３Ｂに仕切る仕切り板３２とにより構成される。箱体３１は、上面に開口を有する横長の略直方体状に形成され、この箱体３１の場合、左右両側面壁の内側面にリブ状突片が設けられ、前面壁の内側面下部側で左右両側に凹溝付き突起が設けられる。なお、この箱体３１は一般に、プラスチック成形品で、全体が一体に形成される。仕切り板３２は、上方部に箱体３１の前面壁及び後面壁と隔離して上端が水面上に突出される縦形の仕切り壁３２１と、この仕切り壁３２１の下方に延出され、箱体３１の前面壁と対応して箱体３１内下部に谷部を形成する傾斜仕切り棚３２２とを有し、また、仕切り板３２裏面の左右両側には係止用のフックが設けられる。なお、この仕切り板３２もまた、プラスチック成形品で、全体が一体に成形されることが通常である。この仕切り板３２は箱体３１内に配置され、仕切り板３２の下端縁が箱体３１内の各凹溝付き突起に嵌め込まれるとともに、仕切り板３２の各フックが箱体３１内の各リブ状突片に係止されて、上方部の仕切り壁３２１を介して箱体３１の前後に親魚の飼育室３Ａと稚魚の飼育室３Ｂが区画され、下方部の傾斜仕切り棚３２２と箱体３１の前面壁とにより、断面Ｖ字形の谷部が形成されるとともに、これら傾斜仕切り棚３２２と箱体３１の前面壁との間に稚魚、卵の通過を許し、成魚の通過を許さない長溝状のスリット３２３が形成されて、前後の各飼育室３Ａ、３Ｂが連通される。この魚卵用ふ化装置は、箱体３１の後面壁に吸盤３３が取り付けられ、この吸盤３３を介して、水槽２の内壁（ガラス面）に固定される。このようにして箱体３１内部は２室に区画され、親魚が仕切り板３２の上方の親魚の飼育室３Ａに隔離され、親魚から稚魚や卵が産み落とされると、この稚魚や卵が箱体３１の前面壁と仕切り板３２の傾斜仕切り棚３２２との間の谷部に沿って誘導され、長溝状のスリット３２３を通じて下方の稚魚の飼育室３Ｂ内に落下し、成魚から隔離して飼育できるようになっている。
【先行技術文献】
【特許文献】
【０００４】
【特許文献１】実開昭６４−３５６１号公報
【考案の概要】
【考案が解決しようとする課題】
【０００５】
しかしながら、このような従来の魚卵用ふ化装置（隔離器）では、複数の親魚を飼育可能な飼育スペースを有するものの、魚卵用ふ化装置は水槽の内壁に固定されるため、水槽内の水の入れ換えの際に、魚卵用ふ化装置が水槽に固定されたままでは、魚卵用ふ化装置の下まで水を抜くことができない。また、水槽内の掃除の際に、この魚卵用ふ化装置が邪魔になることがある。そこで、これらの作業を簡易にするために、水槽から魚卵用ふ化装置を取り外そうとすると、魚卵用ふ化装置は吸盤により水槽のガラス面に密に吸着され、魚卵用ふ化装置とガラス面との間の隙間が小さいことから、吸盤は外れにくく、魚卵用ふ化装置を水槽から容易に取り外すことができない。この場合、魚卵用ふ化装置が水槽からなかなか外れないと、これを無理に取り外そうとして、水槽を動かして水槽内の水をこぼしたり、魚卵用ふ化装置の中で稚魚や卵、また成魚を魚卵用ふ化装置の内壁や仕切り板にぶつけたりすることがある。さらに、魚卵用ふ化装置の中で稚魚を或る程度まで生育させるには、魚卵用ふ化装置の中の水を可能な限りきれいに、且つ酸素を充分に供給する必要があるが、上記従来例では魚卵用ふ化装置に対してそのような対策は施されていない。
【０００６】
本考案は、このような従来の問題を解決するもので、この種の鑑賞魚用隔離器において、水槽内で特定の鑑賞魚を隔離しつつ遊泳させること、水槽内の水の入れ換えや掃除など水槽の手入れ作業を簡便に行えることを目的とする。
【課題を解決するための手段】
【０００７】
上記目的を達成するために、本考案の魚卵用ふ化装置は、上下方向に延びる筒状の装置本体と、装置本体の内部に上下関係に所定の間隔を開けて配置され、間に魚卵及び／または稚魚の収容空間を形成する一対の網部材と、装置本体の上端部に配設され、装置本体内部の水を排出する流体排出機構とを備え、前記流体排出機構は、装置本体の上端外側に取り付けられ、流体を外部に排出する排出管と、前記排出管に接続されて装置本体の上端内側へ延びるスリーブ管と、エア供給ユニットに接続され、前記スリーブ管の内部へ延びて当該スリーブ管の中へ空気を導くエア流入管とから成ることを要旨とする。
【０００８】
かかる構成において、装置本体は上下方向に着脱自在に接続された複数のパイプから構成され、装置本体の長さを可変とするとともに複数個所に魚卵及び／または稚魚の収容空間を形成可能とすることができる。また、網部材はゴミをろ過し得る網目を備えてもよい。
【０００９】
さらに、収容空間にろ過剤を入れて使用することにより水ろ過装置としての使用の途を開くこともできる。
【考案の効果】
【００１０】
本考案の魚卵用ふ化装置では装置本体内に空気を送り込み、この空気と水を一緒に装置本体の外へ排出することにより、装置本体内の水の循環及び攪拌を図る。これにより、収容空間内では魚卵や稚魚が常時良好な水環境に置かれる。また網部材によりフィルタ作用が働くので、水槽内のゴミなどが除去され、さらに、エア流入管により装置本体１内の水に空気が送り込まれ、また、排出管からは、空気、水の混合流体が排出され水槽水面に当たるため、両方の部位で水の中に空気（とりわけ酸素）が供給され新鮮な水に変えることができる。
【００１１】
また、収容空間にろ過剤を入れて使用すれば、水ろ過装置として使用され、一年中の活用ができる。
【図面の簡単な説明】
【００１２】
【図１】本考案の一実施の形態に係る魚卵用ふ化装置を示す正面断面図である。
【図２】上記実施の形態の斜視図である。
【図３】上記実施の形態の使用状態を示す正面断面である。
【図４】本考案の魚卵用ふ化装置の別の使用状態を示す正面断面である。
【図５】従来の魚卵用ふ化装置を説明するための断面図である。
【図６】図５における産卵箱の部分を拡大して示す部分拡大図である。
【考案を実施するための形態】
【００１３】
（実施の形態１）
以下、本考案の実施の形態について図面を用いて説明する。図１は本実施の形態に係る魚卵用ふ化装置を示す正面断面図である。図２は本実施の形態に係る魚卵用ふ化装置を示す斜視図である。図１および図２において、符号１は装置本体、２は流体排出機構をそれぞれ示す。
【００１４】
装置本体１は、上下方向に延びる筒状の構造を有し、上部パイプ３と、上部パイプ３の下側に連結部材４を介して結合された下部パイプ５と、上部パイプ３の上端に取り付けられたキャップ６とから成る。連結部材４は概略的にはパイプ構造を有し、その内径は、上部パイプ３および下部パイプ５の外径とほぼ同じで、且つ固く嵌合する寸法を有する。また連結部材４の中間部分にはパイプ躯体から直径方向内側へ向けて小寸法張り出した円環構造のフランジ部７が設けられている。そして、連結部材４の上部を上部パイプ３に嵌合させる一方、連結部材４の下部を下部パイプ５に嵌合させることにより、上部パイプ３と下部パイプ５とが上下関係に連結される。
【００１５】
そして、連結部材４の上部を上部パイプ３に嵌合させるときに上部パイプ３の下端と連結部材４のフランジ部７との間に上部網部材８を配置することにより上部パイプ３と連結部材４の間に上部網部材８が固定配置される。また、下部パイプ５の下端部に別の網部材である下部網部材９を設置し、この下部パイプ５の下側から別の連結部材１０を嵌合させることにより、下部パイプ５と連結部材１０の間に下部網部材９が固定配置される。これにより、装置本体１の内部に上下関係に所定の間隔を開けて一対の網部材８および９が配置され、間に魚卵及び／または稚魚の収容空間１１が形成される。なお網部材８および９はパイプ３，５と連結部材４，１０の嵌合作用以外の方法により取り付けることもできる。また上部パイプ３、下部パイプ５、連結部材４，１０およびキャップは合成樹脂などの材料により成形される。また、それらの合成樹脂材料は透明であっても、不透明であってもよいが、収容空間１１が配置される下部パイプ５については、魚卵や稚魚を観察するために透明であることが好ましい。
【００１６】
流体排出機構２は、装置本体１の上端に取り付けられ、流体を外部に排出する排出管１２と、貫通孔を有し前記排出管１２に接続されて装置本体１の上端内側へ延びるスリーブ管１３と、エア供給ユニットとしてのエアポンプ１４（後出の図２参照）に接続され、スリーブ管１３の内部へ延びて当該スリーブ管１３の中へ空気を導くエア流入管１５とから成る。スリーブ管１３は装置本体１の内部からキャップ６を突き抜けて上方外部へ延び、排出管１２にネジ機構１６により結合されることにより当該排出管１２に接続される。排出管１２およびスリーブ管１３のキャップとの接合部には上部パッキン１７と下部パッキン１８が設けられている。エア流入管１５は、装置本体１の内部側の端部（下端）がスリーブ管１３の下端まで届かない中間部分で終端するように位置設定されており、その下端には空気は通すがゴミなどは通さないフィルタ機能を持つエアストーン１９が取り付けられている。
【００１７】
なお、エア供給ユニットとしてはエアポンプ１４などが考えられるが、高圧空気タンクや気体発生装置などでもよい。また、網部材８、９はゴミをろ過し得る網目を備えていることが好ましい。また、装置本体１を構成するパイプ３，５および連結部材４，１０は、必要があれば何個でも継ぎ足すことができ、水槽の深さに良好に対応することができるし、深い水槽では複数の収容空間１１を設けることもできる。
【００１８】
かかる構成を有する魚卵用ふ化装置の使用方法及び動作について説明する。図３は魚卵用ふ化装置の本来の使用方法を示す断面図である。この場合、魚卵用ふ化装置は水槽２０の中に設置され、排出管１２の付け根付近まで水２１に沈んだ状態で維持される。装置本体１の内部には、スリーブ管１３以下の部分（スリーブ管１３を含む）全てに水２１が充満している。魚卵用ふ化装置の収容空間１１には魚卵２２や稚魚２３が収容されている。魚卵用ふ化装置の外側は親魚２４が泳いでいるが、収容空間１１は下部パイプ５や網部材８，９により囲まれているため、魚卵２２や稚魚２３が親魚２４に食べられることはない。
【００１９】
このような状態でエアポンプ１４から空気を供給すると、空気はエア流入管１５を通って装置本体１のスリーブ管１３内に排出される。スリーブ管１３内に排出された空気は、当該スリーブ管１３内の水中を勢いよく上昇して排出管１２から外へ排出されるが、その勢いが強いためにスリーブ管１３内の水も一緒に排出管１２からから流れ出る。すなわち、排出管１２からは、空気、水の混合流体２５が排出されることになる。この水の排出により装置本体１では、内部の水圧が低下するため、その下端から、図３中矢印Ｓ１で示されるように、水槽２０内の水が流れ込み、この水は装置本体１内部を矢印Ｓ２により示されるように上昇してスリーブ管１３に到達する。この間に収容空間１１内では水の攪拌が行われて魚卵２２や稚魚２３が常時良好な水環境に置かれる。また下部網部材９によりフィルタ作用が働くので、水槽内のゴミなどが除去され、且つ上部網部材８によってもフィルタ作用により稚魚が排泄した汚物や魚卵の残骸が除去される。さらに、エア流入管１５により装置本体１内の水に空気が送り込まれ、また、排出管１２からは、空気、水の混合流体２５が排出され水槽水面に当たるため、両方の部位で水２１の中に空気（とりわけ酸素）が供給され新鮮な水に変えることができる。
【００２０】
（実施の形態２）
図４は本考案の第２の実施の形態における魚卵用ふ化装置の使用方法を示す断面図である。この第２の実施の形態が上記第１の実施の形態と違うところは、収容空間に魚卵２２や稚魚２３が収容されておらず、代わりにろ過剤２６が充填されていることである。その他の構成は上記第１の実施の形態と同じである。また、この場合の魚卵用ふ化装置の水槽２０内における設置の仕方も上記第１の実施の形態と同じである。
【００２１】
かかる構成において、エアポンプ１４から空気を供給すると、空気はエア流入管１５を通って装置本体１のスリーブ管１３内に排出される。スリーブ管１３内に排出された空気は、当該スリーブ管１３内の水中を勢いよく上昇して排出管１２から外へ排出されるが、その勢いが強いためにスリーブ管１３内の水も一緒に排出管１２からから流れ出る。すなわち、排出管１２からは、空気、水の混合流体２５が排出されることになる。この水の排出により装置本体１では、内部の水圧が低下するため、その下端から、図３中矢印Ｓ１で示されるように、水槽２０内の水が流れ込み、この水は装置本体１内部を矢印Ｓ２により示されるように上昇してスリーブ管１３に到達する。この間に収容空間１１内ではろ過剤２６により水の改善が行われて水槽内の魚２４が常時良好な水環境に置かれる。また下部網部材９によりフィルタ作用が働くので、水槽内のゴミ２７などが除去され、且つ上部網部材８によってもフィルタ作用により稚魚が排泄した汚物や魚卵の残骸が除去される。さらに、エア流入管１５により装置本体１内の水に空気が送り込まれ、また、排出管１２からは、空気、水の混合流体２５が排出され水槽水面に当たるため、両方の部位で水２１の中に空気（とりわけ酸素）が供給され新鮮な水に変えることができる。したがって、産卵期以外の時期には本考案の魚卵用ふ化装置は水ろ過装置として使用することが出来、一年を通して使用することができる。
【産業上の利用可能性】
【００２２】
本考案の魚卵用ふ化装置では装置本体内に空気を送り込み、この空気と水を一緒に装置本体の外へ排出することにより、装置本体内の水の循環及び攪拌を図る。これにより、収容空間内では魚卵や稚魚が常時良好な水環境に置かれる。また網部材によりフィルタ作用が働くので、水槽内のゴミなどが除去され、さらに、エア流入管により装置本体１内の水に空気が送り込まれ、また、排出管からは、空気、水の混合流体が排出され水槽水面に当たるため、両方の部位で水の中に空気（とりわけ酸素）が供給され新鮮な水に変えることができ産業上有用である。
【００２３】
また、収容空間にろ過剤を入れて使用すれば、水ろ過装置として使用され、一年中の活用ができる。
【符号の説明】
【００２４】
１  装置本体
２  流体排出機構
３  上部パイプ
４、１０  連結部材
５  下部パイプ
６  キャップ
７  フランジ部
８  上部網部材
９  下部網部材
１１  収容空間
１２  排出管
１３  スリーブ管
１４  エアポンプ
１５  エア流入管
１６  ネジ機構
１７  上部パッキン
１８  下部パッキン
１９  エアストーン
２０  水槽
２１  水
２２  魚卵
２３  稚魚
２４  親魚
２５  混合流体
２６  ろ過剤
【図１】
0003158034.tif 000003
【図２】
0003158034.tif 000004
【図３】
0003158034.tif 000005
【図４】
0003158034.tif 000006
【図５】
0003158034.tif 000007
【図６】
0003158034.tif 000008